(57)【要約】【課題】ロックオフ部材が自動復帰するタイプと自動復帰しないタイプとを製造しても、管理の手間や製造コストを削減可能とする。【解決手段】レシプロソー等のスイッチ機構において、ハウジング２におけるスイッチレバーの押し込み側に、ハウジング２外部からの操作により、スイッチのＯＦＦ状態を維持させるロックオフ位置からスイッチレバーの押し込みに伴うスイッチのＯＮを許容するロックオフ解除位置に移動可能で、且つハウジング２外部からの操作の解除によってロックオフ位置に自動復帰可能な第１のロックオフボタン２０と、ハウジング２外部からの操作により、ロックオフ位置とロックオフ解除位置とに移動可能な第２のロックオフボタン３０と、をそれぞれ選択的に組み付け可能とした。【選択図】図２
2014133284.tif 000002
【特許請求の範囲】
【請求項１】
ハウジングに、原動機を作動させるスイッチと、そのスイッチ側へ押し込み操作可能な操作部材とを備えた動力工具のスイッチ機構であって、
前記ハウジングに、
前記ハウジング外部からの操作により、前記スイッチのＯＦＦ状態を維持させるロックオフ位置から前記操作部材の押し込みに伴う前記スイッチのＯＮを許容するロックオフ解除位置に移動可能で、且つ前記ハウジング外部からの操作の解除によって前記ロックオフ位置に自動復帰可能な第１のロックオフ部材と、
前記ハウジング外部からの操作により、前記ロックオフ位置と前記ロックオフ解除位置とに移動可能な第２のロックオフ部材と、
をそれぞれ選択的に組み付け可能としたことを特徴とする動力工具のスイッチ機構。
【請求項２】
前記第１のロックオフ部材の自動復帰に弾性体を用いたことを特徴とする請求項１に記載の動力工具のスイッチ機構。
【請求項３】
前記第２のロックオフ部材は、前記ロックオフ位置と前記ロックオフ解除位置とにおいて前記ハウジングに設けた係合部材と係合することを特徴とする請求項２に記載の動力工具のスイッチ機構。
【請求項４】
前記第１のロックオフ部材は、前記ロックオフ位置では、前記操作部材と干渉してその押し込み操作を阻止することで前記スイッチのＯＦＦ状態を維持させることを特徴とする請求項１乃至３の何れかに記載の動力工具のスイッチ機構。
【請求項５】
前記弾性体と前記係合部材とを、前記ハウジングの同じ位置に組み付け可能としたことを特徴とする請求項３に記載の動力工具のスイッチ機構。
【発明の詳細な説明】
【技術分野】
【０００１】
本発明は、ハウジングに、原動機を作動させるスイッチと、そのスイッチ側へ押し込み操作可能な操作部材とを備えた電動工具やエア工具等の動力工具のスイッチ機構に関する。
【背景技術】
【０００２】
電動工具やエア工具等の動力工具においては、モータ等の原動機を駆動させるスイッチを、トリガ等の操作部材を押し込み操作することでＯＮさせるようにしている。但し、偶発的にスイッチがＯＮすることがないように、安全装置（ロックオフ機構）を採用したものが知られている。例えば特許文献１には、常態では操作部材の押し込みを阻止するロックオフ位置に付勢される係合部材（ロックオフ部材）と、押し込み操作によって係合部材をロックオフ位置から退避させる押し釦とを設けたロックオフ機構が開示されている。ここでは押し釦の押し込みを解除すると、係合部材がロックオフ位置へ自動的に復帰するようになっている。また、引用文献２には、トリガの近傍に、操作部材の凸部と係止する突き当て部と、凸部が通過する切欠き部とを備えた操作子（ロックオフ部材）を回転可能に設けて、操作子の回転操作によってトリガをロックするロックオフ位置とロックを解除するロックオフ解除位置とを選択可能としたロックオフ機構が開示されている。
【先行技術文献】
【特許文献】
【０００３】
【特許文献１】実開昭５６−１３３６号公報
【特許文献２】実開平６−３１９６５号公報
【発明の概要】
【発明が解決しようとする課題】
【０００４】
このようにロックオフ部材が自動的にロックオフ位置に復帰するロックオフ機構と、ロックオフ位置とロックオフ解除位置とを選択的に切り替えるロックオフ機構とでは、構成部材が異なるため、これを収容するハウジングの形態も異なる。よって、同じ動力工具でも自動復帰するタイプと自動復帰しないタイプとを製造する際には、各タイプごとにハウジングを製造する必要が生じ、管理の手間や製造コストがかかるものとなっていた。
【０００５】
そこで、本発明は、ロックオフ部材が自動復帰するタイプと自動復帰しないタイプとを製造しても、管理の手間や製造コストが削減可能となる動力工具のスイッチ機構を提供することを目的としたものである。
【課題を解決するための手段】
【０００６】
上記目的を達成するために、請求項１に記載の発明は、ハウジングに、原動機を作動させるスイッチと、そのスイッチ側へ押し込み操作可能な操作部材とを備えた動力工具のスイッチ機構であって、ハウジングに、ハウジング外部からの操作により、スイッチのＯＦＦ状態を維持させるロックオフ位置から操作部材の押し込みに伴うスイッチのＯＮを許容するロックオフ解除位置に移動可能で、且つハウジング外部からの操作の解除によってロックオフ位置に自動復帰可能な第１のロックオフ部材と、ハウジング外部からの操作により、ロックオフ位置とロックオフ解除位置とに移動可能な第２のロックオフ部材と、をそれぞれ選択的に組み付け可能としたことを特徴とするものである。
請求項２に記載の発明は、請求項１の構成において、第１のロックオフ部材の自動復帰に弾性体を用いたことを特徴とするものである。
請求項３に記載の発明は、請求項２の構成において、第２のロックオフ部材は、ロックオフ位置とロックオフ解除位置とにおいてハウジングに設けた係合部材と係合することを特徴とするものである。
請求項４に記載の発明は、請求項１乃至３の何れかの構成において、第１のロックオフ部材は、ロックオフ位置では、操作部材と干渉してその押し込み操作を阻止することでスイッチのＯＦＦ状態を維持させることを特徴とするものである。
請求項５に記載の発明は、請求項３の構成において、弾性体と係合部材とを、ハウジングの同じ位置に組み付け可能としたことを特徴とするものである。
【発明の効果】
【０００７】
請求項１に記載の発明によれば、ロックオフ部材がロックオフ位置に自動復帰するタイプと自動復帰しないタイプとを共通のハウジングによって選択的に組み付けることができる。よって、管理の手間や製造コストの削減が期待できる。
請求項２に記載の発明によれば、請求項１の効果に加えて、弾性体の採用により、第１のロックオフ部材の自動復帰を簡単に行わせることができる。
請求項３に記載の発明によれば、請求項２の効果に加えて、係合部材の採用により、ロックオフ位置とロックオフ解除位置との切り替えが確実に行える。
請求項４に記載の発明によれば、請求項１乃至３の何れかの効果に加えて、第１のロックオフ部材によるロックオフが確実に行える。
請求項５に記載の発明によれば、請求項３の効果に加えて、ロックオフボタン以外に弾性体と係合部材とを用いてもハウジングの共通化は維持でき、製造コストの削減に繋がる。
【図面の簡単な説明】
【０００８】
【図１】レシプロソーの説明図である（自動復帰するロックオフ機構具備）。
【図２】ハウジング及び第１、第２のロックオフボタンの分解斜視図である。
【図３】図１のＡ−Ａ線断面図で、（Ａ）（Ｃ）はロックオフ解除位置、（Ｂ）はロックオフ位置をそれぞれ示す。
【図４】図１のＢ−Ｂ線断面図で、（Ａ）（Ｃ）はロックオフ解除位置、（Ｂ）はロックオフ位置をそれぞれ示す。
【図５】レシプロソーの説明図である（自動復帰しないロックオフ機構具備）。
【図６】図５のＣ−Ｃ線断面図で、（Ａ）はロックオフ位置、（Ｂ）はロックオフ解除位置をそれぞれ示す。
【図７】図５のＤ−Ｄ線断面図で、（Ａ）はロックオフ位置、（Ｂ）はロックオフ解除位置をそれぞれ示す。
【発明を実施するための形態】
【０００９】
以下、本発明の実施の形態を図面に基づいて説明する。
図１は、動力工具の一例である充電式レシプロソー（以下単に「レシプロソー」という。）を示す説明図で、レシプロソー１は、半割の左右ハウジング３，４を組み付けて形成されるハウジング２の略中央に、モータ５を収容し、ハウジング２の後端（図１の右側を前方とする。）に電源となるバッテリーパック６を装着してなる。ハウジング２の前端には、モータ５の回転に伴って変換機構を介して往復動するスライダ７が設けられて、スライダ７の先端に図示しないブレードが装着可能となっている。
【００１０】
８はモータ５の後方に組み付けられたスイッチで、ハウジング２の下面に形成された開口１０に向けて突出付勢されるプランジャ９を備えている。また、開口１０には、操作部材としてのスイッチレバー１１が、後端に設けた左右方向の軸１２を中心として回転可能に設けられている。このスイッチレバー１１は、プランジャ９によって開口１０からの突出位置に付勢されており、ハウジング２内への押し込み操作によってプランジャ９を押し込んでスイッチ８をＯＮさせることができる。スイッチレバー１１の前端外面には、軸１２を中心としたスイッチレバー１１の回転方向に沿った左右一対の突部１３，１３が形成されている。
【００１１】
さらに、スイッチレバー１１の内側で左右ハウジング３，４の内面には、後述する第１ロックオフボタン２０と第２ロックオフボタン３０との何れかを選択して組み付け可能な受け座がそれぞれ設けられている。図２に左ハウジング３に設けられた受け座１４を示す。この受け座１４は、左ハウジング３に形成した透孔１５の周囲に立設される筒リブ１６と、この筒リブ１６と連続してモータ５とスイッチ８との間を仕切る格好でスイッチレバー１１の前端近傍まで立設される壁リブ１７とを備えている。この壁リブ１７におけるスイッチレバー１１側の端部には、右ハウジング４側へ向けた断面円形のボス１８ａが形成されている。この筒リブ１６及び壁リブ１７は右ハウジング４の内面にも設けられて互いに突き合わせ状となるが、右ハウジング４側の方が壁リブ１７及びボス１８ｂ（図４）の高さは低くなっている。
【００１２】
この受け座１４に組み付けられる第１ロックオフボタン２０は、横断面が円形となる軸体で、中央部分には面取部２１が形成されて、その面取部２１には、接線方向へ突出する板状の腕部２２が形成されている。この腕部２２の内側表面には、半径方向に伸びる一対の突条２３，２３が突設されており、外側表面には、側面視がＵ字状の保持部２４が連設されて、この保持部２４内に弾性体としてのコイルバネ２５が、軸方向へ抜け止めされた状態で保持されている。このコイルバネ２５は、第１ロックオフボタン２０が受け座１４の筒リブ１６に挿入される位置で、ボス１８ａ，１８ｂと同軸上に位置するものとなる。
【００１３】
一方、第２ロックオフボタン３０も、第１ロックオフボタン２０と同様に、横断面が円形となる軸体で、中央部分には面取部３１が形成されて、その面取部３１には、接線方向へ突出する板状の腕部３２が形成されている。この腕部３２の内側表面には、半径方向に伸びる一対の突条３３，３３が形成されており、外側表面には、半径方向に伸びる一対の係止溝３４，３４が形成されている。
また、ここでは係合部材としての係合具３５が合わせて用いられる。この係合具３５は、Ｕ字状に折り曲げられた板状の弾性体（例えば板金）で、基部には左ハウジング３側のボス１８ａが貫通可能な透孔３６が形成されて、ボス１８ａを透孔３６に貫通させた状態で左ハウジング３側の壁リブ１７の端部を跨ぐ格好で組み付け可能となっている。この組み付け状態では、係合具３５の一方の端部３７が第２ロックオフボタン３０の腕部３２に沿った位置となる。この端部３７には、腕部３２に設けた係止溝３４，３４に係止可能な突起３８が形成されている。
【００１４】
以上の如く構成されたレシプロソー１のスイッチ機構においては、第１ロックオフボタン２０と第２ロックオフボタン３０との何れかを選択して共通のハウジング２に組み付けることで、ロックオフボタンがロックオフ位置に自動復帰するロックオフ機構と自動復帰しないロックオフ機構とが選択可能となっている。以下、この選択について詳述する。
【００１５】
まず、自動復帰するロックオフ機構を選択する場合は、図１，２に示すように、左ハウジング３を下にした状態で、第１ロックオフボタン２０を、保持部２４に保持させたコイルバネ２５にボス１８ａが挿入される向きで、一方の端部を受け座１４の筒リブ１６に差し込む。そして、右ハウジング４を組み付けると、他方の端部が右ハウジング４側の受け座１４の筒リブ１６に差し込まれると共に、ボス１８ａ，１８ｂ同士が突き当たってコイルバネ２５は左右ハウジング３，４の中間位置で保持される。よって、第１ロックオフボタン２０も、図３（Ｂ）及び図４（Ｂ）に示すように、両端部がそれぞれ透孔１５から突出する左右ハウジング３，４の中間位置で保持される。
【００１６】
この中間位置では、スイッチレバー１１の押し込み方向で突部１３，１３の前方に、第１ロックオフボタン２０の腕部２２に設けた突条２３，２３が位置しているため、スイッチレバー１１を押し込もうとしても、突部１３と突条２３との干渉によってスイッチレバー１１の押し込みは阻止される。すなわち、中間位置がロックオフ位置となっている。
【００１７】
このロックオフ位置から第１ロックオフボタン２０の左側端部を押し込んで右側へスライドさせると、図３（Ａ）及び図４（Ａ）に示すように、第１ロックオフボタン２０の突条２３，２３が右側へスライドして突部１３，１３の前方（スイッチレバー１１の押し込み方向前方）から退避するため、スイッチレバー１１の押し込みが可能となる（ロックオフ解除位置）。よって、プランジャ９が押し込まれてスイッチ８がＯＮし、モータ５が駆動してスライダ７が往復動することになる。
なお、第１ロックオフボタン２０の押し込み状態で、コイルバネ２５は右ハウジング４のボス１８ｂの先端と保持部２４の端部との間で圧縮されるため、第１ロックオフボタン２０の押し込みを解除すれば、コイルバネ２５の付勢によって第１ロックオフボタン２０はロックオフ位置に自動復帰する。
【００１８】
一方、ロックオフ位置から第１ロックオフボタン２０の右側端部を押し込んで左側へスライドさせると、図３（Ｃ）及び図４（Ｃ）に示すように、第１ロックオフボタン２０の突条２３，２３が左側へスライドして突部１３，１３の前方から退避するため、スイッチレバー１１の押し込みが可能となる（ロックオフ解除位置）。
なお、この場合も第１ロックオフボタン２０の押し込み状態で、コイルバネ２５は左ハウジング３のボス１８ａの基部と保持部２４の端部との間で圧縮されるため、第１ロックオフボタン２０の押し込みを解除すれば、コイルバネ２５の付勢によって第１ロックオフボタン２０はロックオフ位置に自動復帰する。
【００１９】
そして、自動復帰しないロックオフ機構を選択する場合は、図２，５に示すように、左ハウジング３を下にした状態で、まず保持具３５を、透孔３６にボス１８ａの先端部を貫通させながら突起３８のある端部３７を筒リブ１６側に向けた位置で受け座１４にセットする。次に、第２ロックオフボタン３０を、腕部３２が保持具３５の端部３７に沿う向きで、一方の端部を左ハウジング３の受け座１４の筒リブ１６に差し込む。そして、右ハウジング４を組み付けると、他方の端部が右ハウジング４側の受け座１４の筒リブ１６に差し込まれる。よって、第２ロックオフボタン３０は、左右ハウジング３，４の間で左右へスライド可能に保持されるが、組み付け状態で第２ロックオフボタン３０の腕部３２に係合具３５の端部３７が弾性的に押圧しているため、係止溝３４，３４の何れかに突起３８が係止するスライド位置で第２ロックオフボタンのスライドは弾性的に規制される。
【００２０】
まず、第２ロックオフボタン３０の左側端部を押し込んで右側へスライドさせると、図６（Ａ）及び図７（Ａ）に示すように、係合具３５の突起３８が第２ロックオフボタン３０の腕部３２の左側の係止溝３４に係止する。この状態で、スイッチレバー１１の押し込み方向で突部１３，１３の前方に、腕部３２に設けた突条３３，３３が位置しているため、スイッチレバー１１を押し込もうとしても、突部１３と突条３３との干渉によってスイッチレバー１１の押し込みは阻止される（ロックオフ位置）。
一方、ロックオフ位置から第２ロックオフボタン３０の右側端部を押し込んで左側へスライドさせると、図６（Ｂ）及び図７（Ｂ）に示すように、突起３８が右側の係止溝３４に係止する。この状態では、第２ロックオフボタン３０の突条３３，３３が左側へスライドして突部１３，１３の前方から退避するため、スイッチレバー１１の押し込みが可能となる（ロックオフ解除位置）。
【００２１】
このように、上記形態のレシプロソー１のスイッチ機構によれば、ハウジング２に、ハウジング２外部からの操作により、スイッチ８のＯＦＦ状態を維持させるロックオフ位置からスイッチレバー１１の押し込みに伴うスイッチ８のＯＮを許容するロックオフ解除位置に移動可能で、且つハウジング２外部からの操作の解除によってロックオフ位置に自動復帰可能な第１ロックオフボタン２０と、ハウジング２外部からの操作により、ロックオフ位置とロックオフ解除位置とに移動可能な第２ロックオフボタン３０と、をそれぞれ選択的に組み付け可能としたことで、ロックオフボタンがロックオフ位置に自動復帰するタイプと自動復帰しないタイプとを共通のハウジング２によって選択的に組み付けることができる。よって、管理の手間や製造コストの削減が期待できる。
【００２２】
特にここでは、第１ロックオフボタン２０の自動復帰にコイルバネ２５を用いているので、第１ロックオフボタン２０の自動復帰を簡単に行わせることができる。
また、第２ロックオフボタン３０は、ロックオフ位置とロックオフ解除位置とにおいてハウジング２に設けた係合具３５と係合するようにしているので、ロックオフ位置とロックオフ解除位置との切り替えが確実に行える。
【００２３】
さらに、第１ロックオフボタン２０は、ロックオフ位置では、スイッチレバー１１と干渉してその押し込み操作を阻止することでスイッチ８のＯＦＦ状態を維持させるので、第１ロックオフボタン２０によるロックオフが確実に行える。
そして、コイルバネ２５と係合具３５とを、ハウジング２の同じ位置に組み付け可能としているので、ロックオフボタン以外にコイルバネ２５と係合具３５とを用いてもハウジングの共通化は維持でき、製造コストの削減に繋がる。
【００２４】
なお、第１ロックオフボタンと第２ロックオフボタンとの形状は上記形態に限らず、横断面を矩形状としたり、突条の数を増減したり（これに対応するスイッチレバーの突部の数も合わせて増減する）等適宜変更可能で、弾性体や係合部材も上記形態に限定しない。勿論弾性体や係合部材を省略してハウジングにこれに代わる構成部を形成することも可能である。受け座の形態も、例えば一方のボス１８ｂを省略して他方のボス１８ａを長くする等、適宜設計変更可能である。
また、上記形態ではロックオフ部材を左右にスライドさせてロックオフ位置とロックオフ解除位置との選択を可能としているが、ロックオフ部材を前後や上下にスライドさせてロックオフ位置とロックオフ解除位置とを選択可能としたり、ロックオフ部材の回転操作によってロックオフ位置とロックオフ解除位置とを選択可能としたりすることもできる。
【００２５】
そして、ロックオフ部材が操作部材と干渉してロックオフを実現する場合に限らず、スイッチと操作部材との間に位置して操作部材の押し込み操作に連動してスイッチをＯＮさせるロックオフ部材を、スイッチと操作部材との間から退避させることでロックオフを実現するようなスイッチ機構であっても、本発明は採用できる。
その他、上記形態では、レシプロソーのスイッチ機構について説明しているが、本発明はレシプロソーに限らず、他の電動工具にも適用可能であるし、電動工具に限らず、エア工具やエンジン工具等の他の動力工具においても採用可能である。
【符号の説明】
【００２６】
１・・レシプロソー、２・・ハウジング、３・・左ハウジング、４・・右ハウジング、５・・モータ、８・・スイッチ、９・・プランジャ、１０・・開口、１１・・スイッチレバー、１３・・突部、１４・・受け座、１５・・透孔、１６・・筒リブ、１７・・壁リブ、１８ａ，１８ｂ・・ボス、２０・・第１ロックオフボタン（第１のロックオフ部材）、２１，３１・・面取部、２２，３２・・腕部、２３，３３・・突条、２４・・保持部、２５・・コイルバネ、３０・・第２ロックオフボタン（第２のロックオフ部材）、３４・・係止溝、３５・・係合具、３６・・透孔、３７・・端部、３８・・突起。
【図１】
2014133284.tif 000003
【図２】
2014133284.tif 000004
【図３】
2014133284.tif 000005
【図４】
2014133284.tif 000006
【図５】
2014133284.tif 000007
【図６】
2014133284.tif 000008
【図７】
2014133284.tif 000009